(57)【要約】      （修正有）【課題】板状体からなる簡易型団扇の一部を活用して、植物の種子を栽培できる団扇を提供する。【解決手段】板状体からなる団扇に切り取り線部を介して切り離し可能な切除片部を設けると共に、当該切除片部に当該切除片部６の表面と裏面とを貫通する透孔部、又は、溝９を形成し、水溶性の材料からなるシート４、あるいは生分解性の材料からなるシート４ａにより、透孔部、又は、溝を切除片部の表面側と裏面側から覆い、透孔部内、又は、溝内に種子５を封入した団扇。前記切除片部の表面あるいは裏面、若しくは表面及び裏面に、前記シートを貼り付けることにより、前記シートと、前記切除片部の表面あるいは裏面、若しくは表面及び裏面との間に植物の種子を封入した団扇。【選択図】図１
0003149235.tif 000002
【実用新案登録請求の範囲】
【請求項１】
板状体からなる団扇に切り取り線部を介して切り離し可能な切除片部を設け、水溶性の材料からなるシート、あるいは生分解性の材料からなるシートにより、当該切除片部に植物の種子を取り付けたことを特徴とする団扇。
【請求項２】
板状体からなる団扇に切り取り線部を介して切り離し可能な切除片部を設けると共に、当該切除片部に当該切除片部の表面と裏面とを貫通する透孔部、又は、溝を形成し、水溶性の材料からなるシート、あるいは生分解性の材料からなるシートにより、前記透孔部、又は、溝を前記切除片部の表面側と裏面側から覆い、前記透孔部内、又は、前記溝内に種子を封入したことを特徴とする団扇。
【請求項３】
板状体からなる団扇に切り取り線部を介して切り離し可能な切除片部を設け、当該切除片部の表面あるいは裏面、若しくは表面及び裏面に、水溶性の材料からなるシート、あるいは生分解性の材料からなるシートを貼り付けることにより、当該水溶性の材料からなるシート、あるいは生分解性の材料からなるシートと、前記切除片部の表面あるいは裏面、若しくは表面及び裏面との間に前記植物の種子を封入したことを特徴とする団扇。
【請求項４】
前記切除片部は、水溶性の材料、あるいは生分解性の材料からなることを特徴とする請求項１乃至３のいずれか一項記載の団扇。
【請求項５】
前記板状体の周縁近傍に前記団扇を使用する者の手の指が挿入される孔が少なくとも一個形成されていることを特徴とする請求項１乃至４のいずれか一項記載の団扇。
【考案の詳細な説明】
【技術分野】
【０００１】
この考案は、人間の手に持って風を送る手段として利用される団扇に関し、特に、板状体からなり、風を送る手段として利用する以外の用途をも備えている団扇に関する。
【背景技術】
【０００２】
従来から板状体からなる団扇に関しては、人間の手に持って風を送る手段として利用する以外の用途を具備させ、利用価値、使用価値を高めるべく種々の提案がされている。
【０００３】
例えば、スポーツその他の競技の応援用あるいは各種催しごとの案内状として宣伝効果が高く、かつ、定型外葉書として直ちに郵送できる簡易団扇に関する提案がある（例えば、特許文献１）。
【０００４】
また、板状体からなる団扇ではないが、複数本の骨材を所要の間隔をあけて配した扇体と、この扇体の外周の一部から突出した取っ手と、前記扇体の表裏面に貼り付けられるシートとを備え、扇体、取っ手及びシートが生分解性材料からなり、前記扇体の骨材の間に草花の種子を保持してなる団扇が提案されている（例えば、特許文献２）。
【特許文献１】実開平７−３６７２５号公報
【特許文献２】実用新案登録第３１２３７７９号公報
【考案の開示】
【考案が解決しようとする課題】
【０００５】
前述した特許文献２記載の考案によれば、団扇として使用することができるとともに、植物の種子を栽培するのに好適に使用することができる団扇を提供できる、とされている。
【０００６】
しかし、特許文献２記載の考案では、複数本の骨材を所要の間隔をあけて配した扇体の骨材の間に草花の種子が保持されているので、植物を栽培すべくに扇体部分を土の中に埋めた場合にはもはや団扇として使用することができなくなる。
【０００７】
また、広告・宣伝用や、景品、販売促進用グッズとして配布等される簡易団扇である板状体からなる団扇に関しては、従来、植物の種子を栽培するのに好適に使用できる団扇は提案されていなかった。
【０００８】
そこで、この考案は、広告・宣伝用や、景品、販売促進用グッズとして配布等される簡易団扇である板状体からなる団扇において、人間の手に持って風を送る手段として利用される以外の用途、特に、植物の種子を栽培するのに好適に使用できる用途を有し、使用価値、利用価値の高められた団扇を提案することを目的にしている。
【課題を解決するための手段】
【０００９】
上記の目的のもとになされたこの考案は、次の通りのものである。
【００１０】
（請求項１）
板状体からなる団扇に切り取り線部を介して切り離し可能な切除片部を設け、水溶性の材料からなるシート、あるいは生分解性の材料からなるシートにより、当該切除片部に植物の種子を取り付けたことを特徴とする団扇。
【００１１】
（請求項２）
板状体からなる団扇に切り取り線部を介して切り離し可能な切除片部を設けると共に、当該切除片部に当該切除片部の表面と裏面とを貫通する透孔部、又は、溝を形成し、水溶性の材料からなるシート、あるいは生分解性の材料からなるシートにより、前記透孔部、又は、溝を前記切除片部の表面側と裏面側から覆い、前記透孔部内、又は、前記溝内に種子を封入したことを特徴とする団扇。
【００１２】
（請求項３）
板状体からなる団扇に切り取り線部を介して切り離し可能な切除片部を設け、当該切除片部の表面あるいは裏面、若しくは表面及び裏面に、水溶性の材料からなるシート、あるいは生分解性の材料からなるシートを貼り付けることにより、当該水溶性の材料からなるシート、あるいは生分解性の材料からなるシートと、前記切除片部の表面あるいは裏面、若しくは表面及び裏面との間に前記植物の種子を封入したことを特徴とする団扇。
【００１３】
（請求項４）
前記切除片部は、水溶性の材料、あるいは生分解性の材料からなることを特徴とする請求項１乃至３のいずれか一項記載の団扇。
【００１４】
（請求項５）
前記板状体の周縁近傍に前記団扇を使用する者の手の指が挿入される孔が少なくとも一個形成されていることを特徴とする請求項１乃至４のいずれか一項記載の団扇。
【考案の効果】
【００１５】
この考案によれば、広告・宣伝用や、景品、販売促進用グッズとして配布等される簡易団扇である板状体からなる団扇において、人間の手に持って風を送る手段として利用される以外の用途、特に、植物の種子を栽培するのに好適に使用できる用途を有し、使用価値、利用価値の高められた団扇を提供することができる。
【考案を実施するための最良の形態】
【００１６】
以下、添付図面を参照し、この考案の好適な実施の形態に関していくつかの好ましい実施例を説明する。なお、以下の説明及び添付図面において共通している構成部位には共通した符号を用いて説明を行っている。
【００１７】
この考案の団扇１は、図１、図２図示のように、板状体２からなる。この板状体２からなる団扇１には、ミシン目などからなる切り取り線部６を介して切り離し可能な切除片部７が形成されている。
【００１８】
団扇１の形状としては、図１や図２に図示したようなものを例示することができ、紙などの材質からなる板状体２とすることにより、広告・宣伝用や、景品、販売促進用グッズとして広範に利用されるものである。
【００１９】
本考案の団扇１は、添付図面において符号４、あるいは符号４ａで示す水溶性の材料からなるシート、あるいは生分解性の材料からなるシートにより、切除片部７に植物の種子５を取り付けたものである。
【００２０】
植物の種子５としては、家庭の花壇、プランターなどで栽培できる花、野菜、ハーブの種子などを用いることができる。
【００２１】
そこで、ミシン目などからなる切り取り線部６を介して切除片部７を板状体２から切り離し、図４図示のように家庭などにおける花壇、プランターなどの土８の中に埋設し、種子５の発芽に必要な水などを与えると、図面に符号４あるいは、符号４ａで示す水溶性の材料からなるシート、あるいは生分解性の材料からなるシートが溶解、あるいは分解するとともに、種子５が発芽し、植物を育てることができる。
【００２２】
なお、この場合であっても、切り取り線部６を介して切除片部７が板状体２から切り離されただけであるので、図１、図２図示のように板状体２における切除片部７の大きさ、形成位置を適宜に定めておけば、依然として板状体２を団扇として使用し続けることができる。
【００２３】
例えば、図１、図２図示のように、板状体２の周縁近傍に団扇１を使用する者の手の指が挿入される孔３を少なくとも一個形成するとともに、板状体２における切除片部７の大きさ、形成位置を定め、切り取り線部６を介して切除片部７が板状体２から切り離された後も依然として板状体２を団扇として使用し続けることができる。
【００２４】
ここで、切除片部７も、水溶性の材料、あるいは生分解性の材料から形成しておくことができる。例えば、板状体２自体を紙製にしておけば切除片部７も紙製となる。
【００２５】
添付図面において符号４、あるいは符号４ａで示す水溶性の材料からなるシート、あるいは生分解性の材料からなるシートにより、切除片部７に植物の種子５を取り付ける形態としては、種々のものを採用できる。
【００２６】
図１（ａ）、図２（ａ）、図３（ａ）図示の実施形態は、切除片部７の表面（図３（ａ）中、上側）、あるいは裏面（図３（ａ）中、下側）、若しくは表面及び裏面に、符号４で示す水溶性の材料からなるシート、あるいは生分解性の材料からなるシートを貼り付け、当該シートと、切除片部７の表面あるいは裏面、若しくは表面及び裏面との間に植物の種子５を封入するものである。図３（ａ）図示の実施形態では、切除片部７の表面（図３（ａ）における板状体２上側面）のみに植物の種子５が取り付けられている。
【００２７】
これは、水溶性の材料からなるシート４、あるいは生分解性の材料からなるシート４を切除片部７の表面に貼り付けることにより、水溶性の材料からなるシート４、あるいは生分解性の材料からなるシート４と、切除片部７の表面との間に植物の種子５を封入して、植物の種子５を、切除片部７の表面（図３における板状体２上側面）に取り付けるものである。同じようにして、切除片部７の裏面のみ、あるいは、切除片部７の表面と裏面とに植物の種子５を取り付けることができる。
【００２８】
図１（ｂ）、図２（ｂ）、図３（ｂ）図示の実施形態は、切除片部７に切除片部７の表面（図３（ｂ）中、上側面）と裏面（図３（ｂ）中、下側面）とを貫通する透孔部９ａ、又は、溝９を形成し、符号４ａで示す水溶性の材料からなるシート、あるいは生分解性の材料からなるシートにより、透孔部９ａ、又は、溝９を切除片部７の表面側と裏面側から覆い、透孔部９ａ内、又は、溝９内に種子５を封入することにより、切除片部７に植物の種子５を取り付けたものである。
【００２９】
いずれの実施形態であっても、ミシン目などからなる切り取り線部６を介して切除片部７を板状体２から切り離し、図４図示のように家庭などにおける花壇、プランターなどの土８の中に埋設し、種子５の発芽に必要な水などを与えると、図面に符号４あるいは、符号４ａで示す水溶性の材料からなるシート、あるいは生分解性の材料からなるシートが溶解、あるいは分解するとともに、種子５が発芽し、植物を育てることができる。
【００３０】
以上、添付図面を参照して本考案の好ましい実施形態を説明したが、本考案はかかる実施形態に限定されることなく、実用新案登録請求の範囲の記載から把握される技術的範囲において種々の形態に変更可能である。
【図面の簡単な説明】
【００３１】
【図１】（ａ）この考案の団扇の一例を説明する正面図、（ｂ）図１（ａ）図示の実施形態における種子の取り付け構造の一例を説明する一部拡大正面図。
【図２】（ａ）この考案の団扇の他の例を説明する正面図、（ｂ）図２（ａ）図示の実施形態における種子の取り付け構造の一例を説明する一部拡大正面図。
【図３】（ａ）切除片部の表面に種子が取り付けられている状態の一例を説明する一部を省略した切断図、（ｂ）切除片部の表面側から裏面側に貫通する透孔部に種子が封入されている状態の一例を説明する一部を省略した切断図。
【図４】板状体から切り離した切除片部を土の中に差し込んだ状態を説明する一部を省略した断面図。
【符号の説明】
【００３２】
１  団扇
２  板状体
３  団扇を使用する者の手の指が挿入される孔
４、４ａ  水溶性の材料からなるシート、生分解性の材料からなるシート
５  植物の種子
６  切り取り線部
７  切除片部
８  土
９  溝
９ａ  透孔
【図１】
0003149235.tif 000003
【図２】
0003149235.tif 000004
【図３】
0003149235.tif 000005
【図４】
0003149235.tif 000006